(57)【要約】      （修正有）【課題】清掃面に接する底面の空気吸込み口から吸入する空気の吸入経路となる空気吸い込み溝の上部に、流入させた空気の気流によって渦流を発生させる空気力学的に考慮した突起（ブレード）によって、当該空気流入経路内に流入空気の渦流を発生させ、この空気の渦流の作用により毛足の長いジュウタン等の清掃面においても、効果的に清掃が行える吸込み口を含む吸い込み機構部を提供する。【解決手段】電気掃除機等の吸引式掃除機の吸込み機構部２の底面の吸込み口１１は、当該吸込み機構部の清掃面に接する底面の空気吸込み口４から吸入する空気の吸入経路３となる空気吸い込み溝の上部に、流入させた空気の気流によって渦流を発生させる空気力学的に考慮した突起（ブレード）５を取り付けこの空気の渦流の作用により毛足の長いジュウタン等の清掃面においても、効果的に清掃が行える吸込み口。【選択図】図１
0003116987.tif 000002
【実用新案登録請求の範囲】
【請求項１】
電気掃除機等の吸引式掃除機の吸込み機構部底面の吸込み口において、清掃面に接する吸込み機構部底部の吸込み口に設けられた空気吸込み溝の上部に、流入させた空気に渦流を発生させるための空気力学的に考慮した突起（ブレード）を、左右にそれぞれ数段取り付けた電気掃除機等の吸引式掃除機の吸込み口を含む吸込み機構部。
【請求項２】
請求項１に示す、電気掃除機等の吸引式掃除機の吸込み機構部底面の吸込み口において、清掃面に接する吸込み機構部底部の吸込み口に設けられた空気吸込み溝の上部に、流入させた空気に渦流を発生させるための空気力学的に考慮した突起（ブレード）を、左右にそれぞれ数段取り付けた電気掃除機等の吸引式掃除機の吸込み口を含む吸込み機構部を使用することによって、前記吸込み口を含む吸込み機構部の空気吸込み溝の上部に取り付けた突起（ブレード）により空気流入経路に発生させた空気の渦流の作用を利用することによって、清掃面から効率よくゴミを吸入できる清掃方法。
【考案の詳細な説明】
【技術分野】
【０００１】
本考案は、請求項１に示す電気掃除機等の吸引式掃除機の吸込み機構部底面の吸込み口に設けた、空気流入経路に渦流を発生させるための空気力学的に考慮した突起（ブレード）を含む構造、及び請求項２に示す当該吸込み口を含む吸込み機構部を用いた清掃方法に関するものである。
【背景技術】
【０００２】
現在の電気掃除機等の吸引式掃除機の吸込み機構部の底面の吸込み口にあっては、その用途に応じて様々な機能が提案されている。そのような吸込み口にあっては、吸引圧力を低下させないような空気流入経路の形状、及び清掃面がジュウタンなど毛足の長いものである場合に有効な回転ブラシを装着するものが考案され提供されている。
【０００３】
例えば、清掃面からの吸引圧力を低下させないように、空気の流入経路の断面積を空気取り入れ口から奥に対して広くすることによって、流入空気の空気抵抗を減少させる様にするなどの形状により、所定の設計吸引圧力で清掃面からゴミを吸入できるようになっているものが既に提供されている。
【０００４】
また、吸込み口に回転ブラシを装着するものは、ジュウタンなどの毛足の長い清掃面などで、毛の中や毛足の付け根部分に入った微細なゴミを、当該回転ブラシで掻きだすことで効果的な清掃が行うことができるものが提供されている。
【考案の開示】
【考案が解決しようとする課題】
【０００５】
しかし、前記のごとく設計吸引圧力を降下させることなく効果的な吸引清掃を行う際において、設計吸込み圧力を重要視しなければならないため吸込み空気の流入経路の気流の流速が高く、毛足の長いジュウタンなどでは吸込み口の底面と清掃面の間の空気取り入れ口から流入した空気の気流によって毛足が吸込み方向に倒れてしまうため、毛足の奥に入り込んだゴミを効率よく吸引できない問題があった。
【０００６】
また、吸引力のみを高めて清掃効率を高めようとした場合にあっては、例えば薄いジュウタンなどの上面を清掃する場合などでは吸引力が強すぎるため、当該ジュウタン自身が吸込み口のヘッドに吸着し、掃除機の吸込み口を前後に移動させた時、吸込み口に吸着した状態で所定の位置から移動したり、吸着負荷により吸込み口をスムーズに移動させ難くなる問題があった。
【０００７】
更に、前記ジュウタンなど毛足の長い清掃面にあっては、毛足の奥から効率よくごみを掻きだすために吸込み口の底部に回転式のブラシなどを装着させ、流入空気の空気圧や電動モーターなどによって連続的に回転動作を起こし、吸込んだ気流方向に傾いた毛の中や毛足の付け根部分からゴミを掻きだす機能を持った吸込み口にあっては、当該ブラシの回転により清掃面に損傷を与えたり、ジュウタンなどの毛足そのものを除去するなどの損傷を与える恐れがあった。
【０００８】
また、回転ブラシを備えた吸込み口にあっては、小型モーターなど電気動力式や流入空気の気流の一部を利用して回転する機構を備えているが、機構が複雑で吸込み口の重量を増加させることになり、一般的に主婦など非力な利用者にとっては連続して使用するには、それら重量から生じる作業負荷を高めるなどの問題があった。
【課題を解決するための手段】
【０００９】
本考案の電気掃除機等の吸引式掃除機の吸込み機構部の底面の吸込み口は、前記課題を解決するため、当該吸込み機構部の清掃面に接する底面の空気吸込み口から吸入する空気の吸入経路となる空気吸い込み溝の上部に、流入させた空気の気流によって渦流を発生させるための、空気力学的に考慮した突起（ブレード）を取り付けることによって、当該空気流入経路内に流入空気の渦流を発生させ、この空気の渦流の作用により毛足の長いジュウタン等の清掃面においても、少ない吸引力で効果的に清掃が行える吸込み口を提供する。
【００１０】
本考案で提供する前記吸込み口によって、発生する流入空気の渦流の作用を利用することによって、モーターに過剰な負荷をかける吸引力を必要とせずに清掃でき、結果として清掃面に対する直接的な吸着力を低減させる。
【００１１】
本考案で提供する前記吸込み口によって、吸込み口の内部に発生させた流入空気の渦流の掻き出し作用によって、ジュウタン等の毛足の長い清掃面であっても毛足の根元まで効果的に清掃し、同じ機能を有する回転ブラシ式に比べ清掃面の損傷を軽減する。
【００１２】
本考案で提供する前記吸込み口によって、吸込み口の機構そのものを簡素化し重量を低減することによって、利用者の作業負担を軽減する。
【考案の効果】
【００１３】
前記考案の吸引式掃除機の吸込み口を含む吸込み機構部は、吸込み空気の流入経路上部に空気力学的な突起（ブレード）を設置することによって、当該ブレードにより吸込み空気の流入経路に流入空気の渦流を発生させ、この渦流の作用を利用して過剰な吸引力を必要とせず、例えば毛足の長いジュウタンなど毛足の長い清掃面においても、この渦状の気流により掻きだし効果が得られるなど、毛足の奥起伏の激しい清掃面であっても効果的に清掃ができる効果を有する。
【００１４】
また、回転ブラシなどの複雑な機構を有しないため、掃除機の吸込み機構部の軽量化を図ることができ、利用者の作業負荷を軽減できる。
【００１５】
また、上記効果によって過剰な吸引力を必要としないため、薄いカーペットなどの清掃の祭にカーペット表面が吸引力によって、吸込み口に吸着することを軽減させ、更にはモーターの負荷を軽減させることによって利用電力消費量の低減が図られ、省エネルギーに繋がる。
【考案を実施するための最良の形態】
【００１６】
考案を実施するための最良の形態は、電気掃除機等の吸引式掃除機の吸込み口を含む吸込み機構部において、清掃面に接する吸込み機構部の吸込み口の底部に設けた空気吸込み溝の上部に、流入空気に渦流を発生させるための空気力学的に考慮した突起（ブレード）を、左右にそれぞれ数段取り付けた電機掃除機等の吸込み口を含む吸込み機構部を使用し、当該吸込み口と清掃面との間で囲まれた空気流入経路において、左右の端から吸込ん空気の流れによって流入経路内に発生させた空気の渦流の作用を利用することによって、清掃面に対する流入気流を渦状に変化させ、例えば回転ブラシを利用した場合と同様の効果を空気力学的に発生させて効率よくゴミを吸入できる吸い込み口を利用して清掃を行う。
【実施例】
【００１７】
図１、図２、図３、図４は考案の基本的な機構を表したもので実施例である。本考案の電気掃除機などの吸込み式掃除機の吸込み口の形状は、図１に示す通り清掃面に接する吸込み機構部２と、掃除機本体と吸込み機構部２を接続する接続管１と、接続管１が吸込み機構部２へ接続する接続部６によって構成される。この吸込み機構部において、清掃面に接してゴミ等を吸入するための底面には、左右に開口する空気吸込み口４から吸込んだ空気吸込み流R及び吸込み流Lが、清掃面との間によって作られる流入経路３によって、図２の吸入口１１に導かれる構造となっている。この、吸込み機構部２と清掃面との間によって作られる空気の流入経路３の上部、即ち吸込んだ空気吸込み流R及び吸込み流Lが吸入口１１に向かって流れる途中に、本考案において目的とする気流の渦（渦流）を発生させるための空気力学的に考慮したブレード５を数箇所に設ける。（図では３箇所となっている）
【００１８】
このブレード５と左右の吸込み流Ｒ及び吸込み流Ｌとによってブレード５の下流方向、即ち吸込み流Ｒ及び吸込み流Ｌの流れの吸入口１１方向に発生させた流入空気の渦流の作用により、清掃面に付着するゴミ等を掻き揚げて当該清掃面から浮かせることによって、例えば毛足の長いジュータンなどの毛足の根元付近に取り込まれたゴミなどが、この渦流の作用によって毛足が吸込み流R及び吸込み流Lの気流方向へ倒れこむことを防止し、渦流の発生している部分では垂直方向の気流が発生して一時的に毛足が垂直方向に引き上げられ、毛足の根元付近にあるゴミなどが掻き出されるようにして清掃を行う。
【産業上の利用可能性】
【００１９】
電気掃除機など吸込み式の掃除機の吸込み機構部に本考案の吸込み機構部を使用することによって、掃除機の吸込み機構部に取り付けられているタービンブラシ等の付加機能を必要とせず機構の簡素化が図られることによって、吸込み機構部の高耐久性とメンテナンスフリーが実現する。
【００２０】
更に、この祭タービンブラシなどの機能を有しないため、清掃面を損傷させることなく清掃が可能となる。
【００２１】
更に、渦流の掻き出し作用を利用することによって吸込み圧力を低減させることができ、モーターの負荷を少なくすることが可能となり省エネルギーにつながる。
【００２２】
また、機構が簡素化されることによって、吸込み機構部そのものの重量が低減化され利用者の作業負担を軽減することができる。
【図面の簡単な説明】
【００２３】
【図１】の基本的な機構図である。（実施例１）
【図２】の基本的な機構図である。（実施例２）
【図３】の基本的な機構図である。（実施例３）
【図４】の基本的な機構図である。（実施例４）
【符号の説明】
【００２４】
１接続管
２吸込み機構部
３流入経路
４左右空気吸込み口（L,R）
５ブレード
６接続部
７左右後部移動用車輪（a,b）
８拭き取りラバー
９左右前部移動用車輪（a,b）
１０前部ラバー
１１吸入口
【図１】
0003116987.tif 000003
【図２】
0003116987.tif 000004
【図３】
0003116987.tif 000005
【図４】
0003116987.tif 000006
【手続補正書】
【提出日】平成17年10月4日(2005.10.4)
【手続補正１】
【補正対象書類名】実用新案登録請求の範囲
【補正対象項目名】全文
【補正方法】変更
【補正の内容】
【実用新案登録請求の範囲】
【請求項１】
電気掃除機等吸引式掃除機の吸込み機構部底面の吸込み口において、清掃面に接する吸込み機構部底部にあって当該吸込み口から吸込んだ空気を、当該吸込み機構部からホースなどの接続管を介して、空気を吸込むためのバキューム装置の方向へ、吸込んだ空気を送るための開口部である吸入口につながって設けられた空気吸い込み溝に、流入させた空気に渦流を発生させるための空気力学的に考慮した突起を、当該吸込み機構部からホースなどの接続管を介して、空気を吸込むためのバキューム装置の方向へ、吸込んだ空気を送るための開口部である吸入口につながって設けられた空気吸い込み溝の左右に、それぞれ数段取り付けた電気掃除機等吸引式掃除機の吸込み口の形状。
【請求項２】
請求項１に示す、電気掃除機等吸引式掃除機の吸込み機構部底面の吸込み口において、清掃面に接する吸込み機構部底部にあって当該吸込み口から吸込んだ空気を、当該吸込み機構部からホースなどの接続管を介して、空気を吸込むためのバキューム装置の方向へ、吸込んだ空気を送るための開口部である吸入口につながって設けられた空気吸い込み溝に、流入させた空気に渦流を発生させるための空気力学的に考慮した突起を、当該吸込み機構部からホースなどの接続管を介して、空気を吸込むためのバキューム装置の方向へ、吸込んだ空気を送るための開口部である吸入口につながって設けられた空気吸い込み溝の左右に、それぞれ数段取り付けた電気掃除機等吸引式掃除機の吸込み口の形状を備えた、電気掃除機等吸引式掃除機の吸込み機構部の構造。
【手続補正２】
【補正対象書類名】明細書
【補正対象項目名】全文
【補正方法】変更
【補正の内容】
【考案の詳細な説明】
【技術分野】
【０００１】
本考案は、実用新案登録請求の範囲請求項１に示す、電気掃除機等吸引式掃除機の吸込み機構部底面の吸込み口に設けた、空気流入経路に渦流を発生させるための空気力学的に考慮した突起を取り付けた吸込み口の形状、及び実用新案登録請求の範囲請求項２に示す当該吸込み口を備えた吸込み機構部の構造に関するものである。
【背景技術】
【０００２】
現在の電気掃除機等の吸引式掃除機の吸込み機構部の底面の吸込み口にあっては、その用途に応じて様々な機能が提案されている。そのような吸込み口にあっては、吸引圧力を低下させないような空気流入経路の形状、及び清掃面がジュウタンなど毛足の長いものである場合に有効な回転ブラシを装着するものが考案され提供されている。
【０００３】
例えば、清掃面からの吸引圧力を低下させないように、空気の流入経路の断面積を空気取り入れ口から奥に対して広くすることによって、流入空気の空気抵抗を減少させる様にするなどの形状により、所定の設計吸引圧力で清掃面からゴミを吸入できるようになっているものが既に提供されている。
【０００４】
また、吸込み口に回転ブラシを装着するものは、ジュウタンなどの毛足の長い清掃面などで、毛の中や毛足の付け根部分に入った微細なゴミを、当該回転ブラシで掻きだすことで効果的な清掃が行うことができるものが提供されている。
【考案の開示】
【考案が解決しようとする課題】
【０００５】
しかし、前記のごとく設計吸引圧力を降下させることなく効果的な吸引清掃を行う際において、設計吸込み圧力を重要視しなければならないため吸込み空気の流入経路の気流の流速が高く、毛足の長いジュウタンなどでは吸込み口の底面と清掃面の間の空気取り入れ口から流入した空気の気流によって毛足が吸込み方向に倒れてしまうため、毛足の奥に入り込んだゴミを効率よく吸引できない問題があった。
【０００６】
また、吸引力のみを高めて清掃効率を高めようとした場合にあっては、例えば薄いジュウタンなどの上面を清掃する場合などでは吸引力が強すぎるため、当該ジュウタン自身が吸込み口のヘッドに吸着し、掃除機の吸込み口を前後に移動させた時、吸込み口に吸着した状態で所定の位置から移動したり、吸着負荷により吸込み口をスムーズに移動させ難くなる問題があった。
【０００７】
更に、前記ジュウタンなど毛足の長い清掃面にあっては、毛足の奥から効率よくごみを掻きだすために吸込み口の底部に回転式のブラシなどを装着させ、流入空気の空気圧や電動モーターなどによって連続的に回転動作を起こし、吸込んだ気流方向に傾いた毛の中や毛足の付け根部分からゴミを掻きだす機能を持った吸込み口にあっては、当該ブラシの回転により清掃面に損傷を与えたり、ジュウタンなどの毛足そのものを除去するなどの損傷を与える恐れがあった。
【０００８】
また、回転ブラシを備えた吸込み口にあっては、小型モーターなど電気動力式や流入空気の気流の一部を利用して回転する機構を備えているが、機構が複雑で吸込み口の重量を増加させることになり、一般的に主婦など非力な利用者にとっては連続して使用するには、それら重量から生じる作業負荷を高めるなどの問題があった。
【課題を解決するための手段】
【０００９】
本考案の電気掃除機等の吸引式掃除機の吸込み機構部の底面の吸込み口は、前記課題を解決するため、当該吸込み機構部の清掃面に接する底面の空気吸込み口から吸入する空気の吸入経路となる空気吸い込み溝の上部に、流入させた空気の気流によって渦流を発生させるための、空気力学的に考慮した突起（ブレード）を取り付けることによって、当該空気流入経路内に流入空気の渦流を発生させ、この空気の渦流の作用により毛足の長いジュウタン等の清掃面においても、少ない吸引力で効果的に清掃が行える吸込み口を提供する。
【００１０】
本考案で提供する前記吸込み口によって、発生する流入空気の渦流の作用を利用することによって、モーターに過剰な負荷をかける吸引力を必要とせずに清掃でき、結果として清掃面に対する直接的な吸着力を低減させる。
【００１１】
本考案で提供する前記吸込み口によって、吸込み口の内部に発生させた流入空気の渦流の掻き出し作用によって、ジュウタン等の毛足の長い清掃面であっても毛足の根元まで効果的に清掃し、同じ機能を有する回転ブラシ式に比べ清掃面の損傷を軽減する。
【００１２】
本考案で提供する前記吸込み口によって、吸込み口の機構そのものを簡素化し重量を低減することによって、利用者の作業負担を軽減する。
【考案の効果】
【００１３】
前記考案の吸引式掃除機の吸込み口を含む吸込み機構部は、吸込み空気の流入経路上部に空気力学的に考慮した突起（ブレード）を設置することによって、当該ブレードにより吸込み空気の流入経路に流入空気の渦流を発生させ、この渦流の作用を利用して過剰な吸引力を必要とせず、例えば毛足の長いジュウタンなど毛足の長い清掃面においても、この渦状の気流により掻きだし効果が得られるなど、毛足の奥起伏の激しい清掃面であっても効果的に清掃ができる効果を有する。
【００１４】
また、回転ブラシなどの複雑な機構を有しないため、掃除機の吸込み機構部の軽量化を図ることができ、利用者の作業負荷を軽減できる。
【００１５】
また、上記効果によって過剰な吸引力を必要としないため、薄いカーペットなどの清掃の祭にカーペット表面が吸引力によって、吸込み口に吸着することを軽減させ、更にはモーターの負荷を軽減させることによって利用電力消費量の低減が図られ、省エネルギーに繋がる。
【考案を実施するための最良の形態】
【００１６】
考案を実施するための最良の形態は、電気掃除機等の吸引式掃除機の吸込み口を含む吸込み機構部において、清掃面に接する吸込み機構部の吸込み口の底部に設けた空気吸込み溝の上部に、流入空気に渦流を発生させるための空気力学的に考慮した突起（ブレード）を、左右にそれぞれ数段取り付けた電機掃除機等の吸込み口を含む吸込み機構部を使用し、当該吸込み口と清掃面との間で囲まれた空気流入経路において、左右の端から吸込ん空気の流れによって流入経路内に発生させた空気の渦流の作用を利用することによって、清掃面に対する流入気流を渦状に変化させ、例えば回転ブラシを利用した場合と同様の効果を空気力学的に発生させて効率よくゴミを吸入できる吸い込み口を利用して清掃を行う。
【実施例】
【００１７】
図１、図２、図３、図４は考案の基本的な機構を表したもので実施例である。本考案の電気掃除機などの吸込み式掃除機の吸込み口の形状は、図１に示す通り清掃面に接する吸込み機構部２と、掃除機本体と吸込み機構部２を接続する接続管１と、接続管１が吸込み機構部２へ接続する接続部６によって構成される。この吸込み機構部において、清掃面に接してゴミ等を吸入するための底面には、左右に開口する空気吸込み口４から吸込んだ空気吸込み流R及び吸込み流Lが、清掃面との間によって作られる流入経路３によって、図２の吸入口１１に導かれる構造となっている。この、吸込み機構部２と清掃面との間によって作られる空気の流入経路３の上部、即ち吸込んだ空気吸込み流R及び吸込み流Lが吸入口１１に向かって流れる途中に、本考案において目的とする気流の渦（渦流）を発生させるための空気力学的に考慮した突起（ブレード）５を数箇所に設ける。（図では３箇所となっている）
【００１８】
この空気力学的に考慮した突起（ブレード）５と左右の吸込み流Ｒ及び吸込み流Ｌとによって空気力学的に考慮した突起（ブレード）５の下流方向、即ち吸込み流Ｒ及び吸込み流Ｌの流れの吸入口１１方向に発生させた流入空気の渦流の作用により、清掃面に付着するゴミ等を掻き揚げて当該清掃面から浮かせることによって、例えば毛足の長いジュータンなどの毛足の根元付近に取り込まれたゴミなどが、この渦流の作用によって毛足が吸込み流R及び吸込み流Lの気流方向へ倒れこむことを防止し、渦流の発生している部分では垂直方向の気流が発生して一時的に毛足が垂直方向に引き上げられ、毛足の根元付近にあるゴミなどが掻き出されるようにして清掃を行う。
【産業上の利用可能性】
【００１９】
電気掃除機など吸込み式の掃除機の吸込み機構部に本考案の吸込み機構部を使用することによって、掃除機の吸込み機構部に取り付けられているタービンブラシ等の付加機能を必要とせず機構の簡素化が図られることによって、吸込み機構部の高耐久性とメンテナンスフリーが実現する。
【００２０】
更に、この祭タービンブラシなどの機能を有しないため、清掃面を損傷させることなく清掃が可能となる。
【００２１】
更に、渦流の掻き出し作用を利用することによって吸込み圧力を低減させることができ、モーターの負荷を少なくすることが可能となり省エネルギーにつながる。
【００２２】
また、機構が簡素化されることによって、吸込み機構部そのものの重量が低減化され利用者の作業負担を軽減することができる。
【図面の簡単な説明】
【００２３】
【図１】本考案の吸込み機構部の実施例を示す基本的な構造図である。（斜視図）
【図２】本考案の吸込み機構部の実施例を示す基本的な構造図である。（平面図）
【図３】本考案の吸込み機構部の実施例を示す基本的な構造図である。（正面図）
【図４】本考案の吸込み機構部の実施例を示す基本的な構造図である。（側面図）
【符号の説明】
【００２４】
１接続管
２吸込み機構部
３流入経路
４左右空気吸込み口（L,R）
５空気力学的に考慮した突起（ブレード）
６接続部
７左右後部移動用車輪（a,b）
８拭き取りラバー
９左右前部移動用車輪（a,b）
１０前部ラバー
１１吸入口
【手続補正３】
【補正対象書類名】図面
【補正対象項目名】全図
【補正方法】変更
【補正の内容】
【図１】
0003116987.tif 000007
【図２】
0003116987.tif 000008
【図３】
0003116987.tif 000009
【図４】
0003116987.tif 000010